(57)【要約】      （修正有）【課題】水位変動に応じてフロートの浮き沈み作動が円滑に行われ、スイッチに誤動作が生じ難い食器洗い機を提供する。【解決手段】フロート水溜めケース24は細長の箱型形状をなし、支持部材の支持軸271に回動自在に支持される支持ボス502を一端側に有し、他端側にフロートを可動自在に連結支持する連結支持部501を有するフロート用連結アーム50は、回動に応じて前記スイッチのオン・オフ操作を行う操作腕503を有し、フロート体は、細長の箱型形状をしたフロート部と、フロート部の上側に立ち上がる支持柱252を有し、支持柱252の上端に頭部253を設け、この頭部は少なくとも下面側が円弧形状を有し、フロート用連結アーム50の連結支持部501は、頭部の下面を摺動自在に支持する円弧形状の窪みを有し、頭部、および前記窪みに形成される円弧形状の円弧軸心方向が前記フロート水溜めケース24の長手方向と交差するように配置されていること。【選択図】図３
2005296544.tif 000002
【特許請求の範囲】
【請求項１】
洗浄槽と、この洗浄槽内に備えられる食器収納かごと、洗浄水を前記洗浄槽内に向けて噴射する回転噴射体と、吸い込み／加圧した洗浄水を前記回転噴射体に供給する洗浄ポンプと、前記洗浄槽の下方に備わる水貯留部の水位を検出するフロートスイッチを備え、前記フロートスイッチは、前記水貯留部に連通するフロート水溜めケースと、このフロート水溜めケース内に浮くように置かれるフロート体と、このフロート体の浮き沈みに応じてオン・オフするスイッチを有する食器洗い機にあって、
前記フロート水溜めケースは細長の箱型形状をなし、
支持部材の支持軸に回動自在に支持される支持ボスを一端側に有し、他端側に前記フロート体を可動自在に連結支持する連結支持部を有するフロート用連結アームは、回動に応じて前記スイッチのオン・オフ操作を行う操作腕を有し、
前記フロート体は、細長の箱型形状をしたフロート部と、フロート部の上側に立ち上がる支持柱を有し、
前記支持柱の上端に頭部を設け、この頭部は少なくとも下面側が円弧形状を有し、
前記フロート用連結アームの連結支持部は、前記頭部の下面を摺動自在に支持する円弧形状の窪みを有し、
前記頭部、および前記窪みに形成される円弧形状の円弧軸心方向が前記フロート水溜めケースの長手方向と交差するように配置されていることを特徴とする食器洗い機。
【請求項２】
請求項１記載の食器洗い機において、
前記フロート水溜めケースの上に被せるフロートケースカバーは、立ち上がるように形成される立壁を有し、この立壁を前記支持部材とすることを特徴とする食器洗い機。
【請求項３】
請求項２記載の食器洗い機において、
前記フロート用連結アームの前記支持ボスは、前記立壁の支持軸が回動自在に嵌合する軸受孔を有し、
前記支持軸に支持された前記支持ボスの外周寄り側縁部に係合する爪を有する脱落防止用係止片を前記立壁に設けたことを特徴とする食器洗い機。
【請求項４】
請求項２記載の食器洗い機において、
前記スイッチは、前記立壁を間にして前記フロート体の反対側に配置され、
前記フロート用連結アームは、前記立壁を間にして前記スイッチの反対側に配置され、
前記操作腕は、前記フロート用連結アームから延在して前記立壁の両側に跨るように設けられることを特徴とする食器洗い機。
【請求項５】
請求項１記載の食器洗い機において、
前記フロート体のフロート部を前記フロート水溜めケースの長手方向に並ぶように二つ備え、各々のフロート体に前記スイッチを備え、
一方のフロート体を高水位検知用に、他方のフロート体を低水位検知用としたことを特徴とする食器洗い機。
【請求項６】
請求項５記載の食器洗い機において、
前記低水位検知用の前記フロート体は、前記高水位検知用の前記フロート体に比べ丈が高いことを特徴とする食器洗い機。
【請求項７】
請求項２記載の食器洗い機において、
前記フロートケースカバーは、着脱係止手段で前記フロート水溜めケースに着脱自在に取り外けられることを特徴とする食器洗い機。
【発明の詳細な説明】
【技術分野】
【０００１】
本発明は、洗浄槽内の水位検知のためにフロートスイッチを設けた食器洗い機に関する。
【背景技術】
【０００２】
洗浄槽内の水位検知のためにフロートスイッチを設けた食器洗い機は、特開平７−３１５７３号公報（特許文献１）で示されている。
【０００３】
その食器洗い機は、洗浄槽と、この洗浄槽内に備えられる食器収納かごと、洗浄水を前記洗浄槽内に向けて噴射する回転噴射体と、吸い込み／加圧した洗浄水を前記回転噴射体に供給する洗浄ポンプと、前記洗浄槽の下方に備わる水貯留部の水位を検出するフロートスイッチを備え、前記フロートスイッチは、前記水貯留部に連通するフロート水溜めケースと、このフロート水溜めケース内に浮くように置かれるフロート体と、このフロート体の浮き沈みに応じてオン・オフするスイッチを有する。
【０００４】
【特許文献１】特開平７−３１５７３号公報
【発明の開示】
【発明が解決しようとする課題】
【０００５】
フロート体の浮き沈みに連れてオン・オフの作動をするスイッチは、フロート用連結アームを介してフロート体と連結されている。フロート体とフロート用連結アームのつなぎは、自在継ぎ手のような連結手段が用いられているので、浮き沈みに際してフロート体がフロート水溜めケースの内壁面に接触する方向に安易に動いてフロートの浮き沈み作動が円滑に行われない恐れがある。
【０００６】
本発明は、上記の問題に対処し、水位変動に応じてフロート体の浮き沈み作動が円滑に行われ、スイッチに誤動作が生じ難い食器洗い機を提供することを目的とする。
【課題を解決するための手段】
【０００７】
本発明は、洗浄槽の下方に備わる水貯留部の水位を検出するフロートスイッチを備え、フロートスイッチは、水貯留部に連通するフロート水溜めケースと、このフロート水溜めケース内に浮くように置かれるフロート体と、このフロート体の浮き沈みに応じてオン・オフするスイッチを有する食器洗い機にあって、フロート水溜めケースは細長の箱型形状をなし、支持部材の支持軸に回動自在に支持される支持ボスを一端側に有し、他端側にフロートを可動自在に連結支持する連結支持部を有するフロート用連結アームは、回動に応じて前記スイッチのオン・オフ操作を行う操作腕を有し、フロート体は、細長の箱型形状をしたフロート部と、フロート部の上側に立ち上がる支持柱を有し、支持柱の上端に頭部を設け、この頭部は少なくとも下面側が円弧形状を有し、フロート用連結アームの連結支持部は、頭部の下面を摺動自在に支持する円弧形状の窪みを有し、頭部、および前記窪みに形成される円弧形状の円弧軸心方向が前記フロート水溜めケースの長手方向と交差するように配置されていることを特徴とする。
【発明の効果】
【０００８】
本発明によれば、水位変動に応じてフロートの浮き沈み作動が円滑に行われる食器洗い機を提供できる。
【発明を実施するための最良の形態】
【０００９】
本発明の実施形態に係る実施例について、図面に基づいて説明する。
【００１０】
まず、図1を引用して本発明の実施例に係る食器洗い機の概要から述べる。
【００１１】
この食器洗い機は、外枠体１と、外枠体１の内側に備わる洗浄槽２と、洗浄槽２の前面側の開口を開閉自在なる蓋体３を有する。食器類が載せられる食器かご４は、洗浄槽２に出し入れ自在に備わる。
【００１２】
洗浄槽２の底側には、回転噴射体５が備わる。回転噴射体５の上側に食器かご４が置かれる。
【００１３】
洗浄槽２に給水する給水管６は電磁バルブ７を有する。電磁バルブ７の開け閉めで、給水、給水停止が行われる。
【００１４】
洗浄槽２の下方に水貯留部８が備わる。この水貯留部８に洗浄ポンプ９を介して回転噴射体５がつながる。洗浄ポンプ９は洗浄ポンプ電動機２０で駆動される。洗浄ポンプ電動機２０の駆動で、洗浄ポンプ９は水貯留部８の洗浄水を吸い込み、かつ加圧して回転噴射体５に送る。これにより、回転噴射体５から勢い良く洗浄水が噴射し、食器かご４に置かれる食器が洗われる。
【００１５】
水貯留部８に連通するようにつながる排水管２１には、排水ポンプ２２が設けられる。水貯留部８に溜まる洗浄水は排水ポンプ２２で排水される。フロートスイッチ２３は排水管２１に連通するようにつながる。フロートスイッチ２３は、水貯留部８の水位を検出する。
【００１６】
このフロートスイッチについて、図２〜図８を加えて詳しく説明する。
【００１７】
フロートスイッチ２３は、フロート水溜めケース２４、フロート水溜めケース内に浮くように置かれるフロート体２５Ａ／Ｂと、フロート体の浮き沈みに応じてオン・オフするスイッチ２６Ａ／Ｂを有する。フロート水溜めケース２４の上に被さるフロートケースカバー３５は、立ち上がるように形成される立壁２７を有する。
【００１８】
フロート水溜めケース２４の底側に連通口２８が設けられ、この連通口２８が排水管２１に連通するようにつながる。水貯留部８に溜まる洗浄水は、排水管２１、連通口２８を介してフロート水溜めケース２４に流れ込み、フロート水溜めケース２４に溜まる洗浄水でフロート体２５Ａ／Ｂは浮く。
【００１９】
フロートケースカバー３５は、注水管２９を有する。この注水管２９から水道水が注水される。この注水で、フロート水溜めケース２４に着く汚れを落とすようにしている。また注水管２９は、サイホンブレーカの機能も担っている。
【００２０】
フロートケースカバー３５は、係止爪４０、係止突起４１を有する。フロート水溜めケース２４は、係止爪４０が係合する係合台４２、係止突起４１が係合する係合孔４３を有する。この係止爪４０、係止突起４１、係合台４２、および係合孔４３は着脱係止手段を構成するもので、この着脱係止手段によりフロートケースカバー３５はフロート水溜めケース２４に取り外し自在に取り付けられる。
【００２１】
フロート水溜めケース２４は、細長の箱型形状をしている。フロート水溜めケース２４の内側に二つのフロート体２５Ａ／Ｂが置かれる。
【００２２】
フロート体２５Ａとフロート体２５Ｂは、丈の違いを除いて同じ構成を有する。
【００２３】
フロート体２５Ａは洗浄水位検知用（低水位検知用）、フロート体２５Ｂは溢水水位検知用（高水位検知用）で、丈はフロート体２５Ａの方が高い。
【００２４】
フロート体２５Ａ／Ｂは、フロート部２５１、支持柱２５２を有する。フロート部２５１は、細長の箱型形状をしている。二つのフロート体は、フロート部２５１をフロート水溜めケースの長手方向に並ぶようにフロート水溜めケース内に置かれる。フロート部２５１の丈は、フロート体２５Ａが高い。
【００２５】
支持柱２５２は、フロート部２５１の上側に立ち上がるように形成される。支持柱２５２は、上端に頭部２５３を有する。頭部２５３は下面側が円弧形状を有している。頭部２５３の上面は扁平であるが、円弧形状にすることも可能である。
【００２６】
支持柱２５２は、頭部２５３の下方に括れた首部２５４、首部２５４の下方に肩部２５５を有する。肩部２５５の下側は肩幅のままでフロート部２５１につづく形状になっている。肩部２５５の上面側は円弧形状を有する。
【００２７】
頭部２５３の円弧形状の円弧軸心方向と、肩部２５５の円弧形状の円弧軸心方向は同じ方向に設けられている。このため、頭部２５３の下面側と肩部２５５の上面側は首部２５４を介して円弧の頂点を突き合わせた構成になる。
【００２８】
フロートケースカバー３５は、フロート体の支持柱２５２が挿入される柱挿入穴２６１を有する。柱挿入穴２６１への支持柱２５２の挿入は、フロートケースカバー３５をフロート水溜めケース２４に取り付ける前に行なう。
【００２９】
フロートケースカバー３５の立壁２７は支持部材になる。この支持部材の立壁２７には、支持軸２７１が設けられる。支持軸２７１はフロートケースカバー３５の上側に位置するように立壁２７の表側に設けられる。脱落防止用係止片２７２は、支持軸２７１を挟むように対称位置に設けられる。脱落防止用係止片２７２の先端に内向きの爪２７３が設けられる。
【００３０】
フロート用連結アーム５０は、図７に示すように連結支持部５０１、支持ボス５０２、操作腕５０３を有する。連結支持部５０１はフロート用連結アーム５０の一端に、支持ボス５０２はフロート用連結アーム５０の他端に設けられる。フロート用連結アーム５０は二つのフロート体に合わせて二つ備えられる。
【００３１】
支持ボス５０２は軸受穴５０４を有する。フロート用連結アーム５０は支持軸２７１に軸受穴５０４を嵌め込むことで、支持軸２７１に回転自在に支持される。脱落防止用係止片２７２の爪２７３が支持ボス５０２の外周寄り側縁部に係合するので、フロート用連結アーム５０は脱落することなく、支持ボス５０２に回転自在に支持される。
【００３２】
脱落防止用係止片２７２の爪２７３は、先端内側に傾斜面を有する。この傾斜面は先端に向かって外周に広がるような傾きになっている。このため、フロート用連結アーム５０の支持ボス５０２の軸受穴５０４を支持軸２７１に嵌める際に、外側から支持ボス５０２を強く押すことにより、脱落防止用係止片２７２が外周方向に開かれ、脱落防止用係止片２７２に抱きかかえられるように支持ボス５０２は嵌る。支持ボス５０２の支持軸２７１への取り付けが容易である。
【００３３】
図５は、フロート用連結アーム５０がフロートケースカバー３５に取り付けられたところを示す。操作腕５０３は、立壁２７の両側に跨るように置かれる。操作腕５０３のつけ根（支持ボス５０２につながるところ）は、立壁２７の表側に位置するが、操作腕５０３の先側を含む大部分は立壁２７の裏側に位置する。
【００３４】
スイッチ２６Ａ／Ｂは、立壁２７の裏側に位置するように備わる。スイッチ２６Ａは、フロート体２５Ａに対応する洗浄水位検知用（低水位検知用）である。スイッチ２６Ｂは、フロート体２５Ｂに対応する溢水水位検知用（高水位検知用）である。
【００３５】
フロート体とスイッチは、立壁２７を挟んで表裏に置かれるので、簡素な配置構成になり、組立がし易いのである。しかも、操作腕５０３が立壁２７の両側に跨るようにしたので、簡単な構成でフロート体とスイッチを連係作動させることができる。
【００３６】
スイッチ２６Ａ／Ｂは、操作レバー２６１、押ボタンを有する。この操作レバー２６１に操作腕５０３が当接するように置かれ、操作腕５０３の動きに応じてスイッチ２６Ａ／Ｂは、オン・オフする。
【００３７】
フロート用連結アーム５０の連結支持部５０１は、図５に示すようにフロート体の支持柱２５２を連結支持する。この連結支持部５０１は本発明の主要部である。
【００３８】
図５に示すように連結支持部５０１は、窪み６００を有する。窪み６００は、頭部２５３の円弧形状と同じ大きさの円弧形状を有する。この円弧形状の窪み６００に頭部２５３円弧形状のところが嵌ってフロート用連結アーム５０とフロート体が連結される。つまり、窪み６００内で頭部２５３が摺動して動くように頭部２５３が嵌合支持されているのである。
【００３９】
この窪み６００と頭部２５３の嵌合状態では、頭部２５３の円弧形状の円弧軸心方向と、窪み６００の円弧形状の円弧軸心方向が同じ方向に並んでいる。しかも、頭部２５３と窪み６００の円弧形状の円弧軸心方向が、フロート水溜めケース２４の長手方向と交差するようにフロート用連結アーム５０とフロート体はフロート水溜めケース２４に取り付け配置される。
【００４０】
このため、フロート用連結アーム５０の連結支持部５０１に支持されたフロート体の振り子動作は、フロート水溜めケース２４の長手方向に制限される。フロート水溜めケース２４の長手方向と交差する方向に、フロート体が振り動作することは生じ難く、フロート体がフロート水溜めケース２４の内壁面に接触する可能性は少ない。接触の可能性が少ないので、フロート水溜めケース２４の水位変動に応じたフロート体の浮き沈み動作が円滑に行われる。
【００４１】
すなわち、フロート体が内壁面に接触すると、フロート水溜めケース２４の内壁面に付着する洗浄水の油脂分により接着してしまい、水位変動に応じたフロート体の浮き沈み動作が行われなくなる。しかし、本発明の実施例では、フロート体の振り子動作は、フロート水溜めケース２４の長手方向に制限され、フロート体が内壁面に接触する可能性は少なくないので、水位変動に応じたフロート体の浮き沈み動作が円滑に行われ、フロートスイッチの誤動作が生じる可能性は少ないのである。
【００４２】
フロート用連結アーム５０の連結支持部５０１は、図７に示すように差込溝６０１を有する。この差込溝６０１は、連結支持部５０１の内部に亘って形成され、かつ窪み６００の中央に割り込むように設けられている。この差込溝６０１にフロート体の支持柱２５２を差し込むことにより、フロート用連結アーム５０とフロート体の連結が行われる。
【００４３】
すなわち、差込溝６０１の入り口に首部２５４の側面（頭部２５３と肩部２５５の間になる面側）を向けて押し込み、９０度回すことで図５に示す状態になる。前述したように頭部２５３の下面側と肩部２５５の上面側は首部２５４を介して円弧の頂点を突き合わせた構成になっているので、容易に９０度回すことができる。フロート用連結アーム５０とフロート体の連結が容易に行われる。
【００４４】
次に本発明の実施例を動作の面から説明する。
【００４５】
給水管６の電磁バルブ７が開かれて洗浄槽２に給水される。水貯留部８の溜まる洗浄水の水位が増すにつれてフロートスイッチのフロート水溜めケース２４の水位が上げる。水位上昇につれてフロート体が浮き上がって行く。フロート体の浮上にともないフロート用連結アーム５０が支持軸２７１を支点として時計方向に回転移動する。フロート用連結アーム５０の操作腕５０３が時計方向に回転移動するにともない操作レバー５１１は反時計方向に回転移動し、押しボタンが突き出てスイッチ２６Ａがオンする。スイッチ２６Ａのオンにより、洗浄水位に達したことが検知される。洗浄水位検知により、電磁バルブ７が閉じられ、洗浄槽２への給水が止められる。それとともに洗浄ポンプ９の運転が行なわれる。
【００４６】
スイッチ２６Ａや電磁バルブ７の誤作動等で、洗浄水位に達した後も給水が行われると、洗浄水位（低水位）を越えて更に水位が上昇し、スイッチ２６Ｂがオンする。スイッチ２６Ｂのオンにより、溢水水位（高水位）に達したことが検知される。溢水水位検知により、排水ポンプ２２の運転が行なわれ、食器洗い機からの溢水が抑えられる。それとともに洗浄ポンプ９の運転停止、電磁バルブ７の閉鎖を含む食器洗い機の運転停止が行われる。
【００４７】
前述したようにフロート体の浮き沈みに応じてフロート用連結アーム５０が回動する際に、連結支持部５０１の窪み６００内でフロート体の頭部２５３が摺動するように動く。この摺動動作は、フロート水溜めケース２４の長手方向に制限され、フロート水溜めケース２４の長手方向と交差する方向に動く可能性は少ないので、フロート体がフロート水溜めケース２４の内壁面に接触することが生じ難い。このため、水位変動に応じてフロート体の浮き沈みが円滑に行われ、スイッチのオン・オフの誤動作が生じないのである。
【図面の簡単な説明】
【００４８】
【図１】本発明の実施例に係わるもので、食器洗い機の縦断面図である。
【図２】本発明の実施例に係わるもので、フロートスイッチを全体的に示した斜視図である。
【図３】本発明の実施例に係わるもので、フロートスイッチの縦断面図である。
【図４】本発明の実施例に係わるもので、フロートケースカバーを外した状態を示すフロートスイッチの斜視図である。
【図５】本発明の他の実施例に係わるもので、フロートとフロート用連結アームの連結個所およびフロート用連結アームを回動自在に支持する個所を拡大して示す斜視図である。
【図６】本発明の他の実施例に係わるもので、図５からフロート用連結アームを除いた状態を示す斜視図である。
【図７】本発明の他の実施例に係わるもので、フロート用連結アームの単体斜視図である。
【図８】本発明の他の実施例に係わるもので、フロートの単体斜視図である。
【符号の説明】
【００４９】
２…洗浄槽、８…水貯留部、２３…フロートスイッチ、２４…フロート水溜めケース、２５Ａ／Ｂ…フロート体、２６Ａ／Ｂ…スイッチ、２７１…支持軸、５０２…支持ボス、５０１…連結支持部、５０…フロート用連結アーム、５０３…操作腕、２５１…フロート部、２５２…支持柱、２５３…頭部、６００…窪み。
【図１】
2005296544.tif 000003
【図２】
2005296544.tif 000004
【図３】
2005296544.tif 000005
【図４】
2005296544.tif 000006
【図５】
2005296544.tif 000007
【図６】
2005296544.tif 000008
【図７】
2005296544.tif 000009
【図８】
2005296544.tif 000010